(57)【特許請求の範囲】
【請求項１】
ＰＤＣＣＨオーダに基づいてランダムアクセス手順を開始する媒体アクセス制御層処理部と、
ＰＲＡＣＨを用いてランダムアクセスプリアンブルを送信する送信部と、
送信カウンタに基づいて、前記ランダムアクセスプリアンブルの送信電力をセットする送信電力制御部と、を備え、
前記送信電力制御部は、前記送信カウンタがインクリメントされる計算に基づいて前記送信電力がセットされるか否かを、前記ＰＤＣＣＨオーダに含まれる情報に少なくとも基づいて判断し、
前記情報は、前記ランダムアクセスプリアンブルを示すプリアンブルインデックスである
端末装置。
【請求項２】
前記送信電力制御部は、前記情報に少なくとも基づいて、１にセットされた前記送信カウンタに基づく前記送信電力、または、インクリメントされた前記送信カウンタに基づく前記送信電力の何れか一方をセットする
請求項１に記載される端末装置。
【請求項３】
ランダムアクセス手順の開始を指示するＰＤＣＣＨオーダを送信する送信部と、
ＰＲＡＣＨを用いてランダムアクセスプリアンブルを受信する受信部と、を備え、
前記ランダムアクセスプリアンブルの送信電力は、端末装置によって送信カウンタに基づいてセットされ、
前記ＰＤＣＣＨオーダは、前記送信カウンタがインクリメントされる計算に基づいて前記送信電力がセットされるか否かを、前記端末装置に、前記ＰＤＣＣＨオーダに含まれる情報に少なくとも基づいて判断させ、
前記情報は、前記ランダムアクセスプリアンブルを示すプリアンブルインデックスである
基地局装置。
【請求項４】
前記情報に少なくとも基づいて、１にセットされた前記送信カウンタに基づく前記送信電力、または、インクリメントされた前記送信カウンタに基づく前記送信電力の何れか一方がセットされる
請求項３に記載される基地局装置。
【請求項５】
端末装置に用いられる通信方法であって、
ＰＤＣＣＨオーダに基づいてランダムアクセス手順を開始し、
ＰＲＡＣＨを用いてランダムアクセスプリアンブルを送信し、
送信カウンタに基づいて、前記ランダムアクセスプリアンブルの送信電力をセットし、
前記送信カウンタがインクリメントされる計算に基づいて前記送信電力がセットされるか否かが、前記端末装置によって、前記ＰＤＣＣＨオーダに含まれる情報に少なくとも基づいて判断され、
前記情報は、前記ランダムアクセスプリアンブルを示すプリアンブルインデックスである
通信方法。
【請求項６】
基地局装置に用いられる通信方法であって、
ランダムアクセス手順の開始を指示するＰＤＣＣＨオーダを送信し、
ＰＲＡＣＨを用いてランダムアクセスプリアンブルを受信し、
前記ランダムアクセスプリアンブルの送信電力は、端末装置によって送信カウンタに基づいてセットされ、
前記ＰＤＣＣＨオーダは、前記送信カウンタがインクリメントされる計算に基づいて前記送信電力がセットされるか否かを、前記端末装置に、前記ＰＤＣＣＨオーダに含まれる情報に少なくとも基づいて判断させ、
前記情報は、前記ランダムアクセスプリアンブルを示すプリアンブルインデックスである
通信方法。
【発明の詳細な説明】
【技術分野】
【０００１】
本発明の一態様は、端末装置、基地局装置、および、通信方法に関する。
【背景技術】
【０００２】
セルラー移動通信の無線アクセス方式および無線ネットワーク（以下、「Long Term Evolution （LTE: 登録商標）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥリリース１３において、端末装置が複数のサービングセル（コンポーネントキャリア）において同時に送信、および／または、受信を行う技術であるキャリアアグリゲーションが仕様化されている（非特許文献１、２、３、４、５）。ＬＴＥリリース１４において、ライセンス補助アクセス（LAA: Licensed Assisted Access）の機能拡張、および、アンライセンスバンド（unlicensed band）における上りリンクキャリアを用いたキャリアアグリゲーションが検討されている（非特許文献６）。また、非特許文献６において、アンライセンスバンドにおける上りリンクキャリアを用いたＰＲＡＣＨ（Physical Random Access Channel）の送信が検討されている。
【先行技術文献】
【非特許文献】
【０００４】
【非特許文献１】"3GPP TS 36.211 V13.1.0 (2016-03)", 29th March, 2016.
【非特許文献２】"3GPP TS 36.212 V13.1.0 (2016-03)", 29th March, 2016.
【非特許文献３】"3GPP TS 36.213 V13.1.1 (2016-03)", 31th March, 2016.
【非特許文献４】"3GPP TS 36.300 V13.2.0 (2015-12)", 13th January, 2015.
【非特許文献５】"3GPP TS 36.321 V13.0.0 (2015-12)", 14th January, 2016.
【非特許文献６】"New Work Item on enhanced LAA for LTE", RP-152272, Ericsson, Huawei, 3GPP TSG RAN Meeting#70, Sitges, Spain, 7th - 10th December 2015.
【発明の概要】
【発明が解決しようとする課題】
【０００５】
本発明の一態様は、効率的にランダムアクセス手順を実行することができる端末装置、該端末装置に用いられる通信方法、該端末装置に実装される集積回路、効率的にランダムアクセス手順を実行することができる基地局装置、該基地局装置に用いられる通信方法、および、該基地局装置に実装される集積回路を提供する。
【課題を解決するための手段】
【０００６】
（１）本発明の態様は、以下のような手段を講じた。すなわち、本発明の第１の態様は、端末装置であって、ＰＤＣＣＨ（physical downlink control channel）オーダに基づいてランダムアクセス手順を開始する媒体アクセス制御層処理部と、ＰＲＡＣＨ（physical random access channel）を用いてランダムアクセスプリアンブルを送信する送信部と、送信カウンタに基づいて、前記ランダムアクセスプリアンブルの送信のための送信電力をセットする送信電力制御部と、を備え、前記送信カウンタは、前記ＰＤＣＣＨオーダに含まれる第１の情報と第２の情報とに少なくとも基づいて設定され、前記第１の情報は、前記ランダムアクセスプリアンブルを示すために用いられ、前記第２の情報は、前記ＰＲＡＣＨのリソースを選択するために用いられる。【０００７】
（２）本発明の第２の態様は、基地局装置であって、ランダムアクセス手順の開始を指示するＰＤＣＣＨ（physical downlink control channel）オーダを送信する送信部と、ＰＲＡＣＨ（physical random access channel）を用いてランダムアクセスプリアンブルを受信する受信部と、を備え、前記ランダムアクセスプリアンブルの送信のための送信電力は、端末装置によって送信カウンタに基づいてセットされ、前記送信カウンタは、前記ＰＤＣＣＨオーダに含まれる第１の情報と第２の情報とに少なくとも基づいて設定され、前記第１の情報は、前記ランダムアクセスプリアンブルを示すために用いられ、前記第２の情報は、前記ＰＲＡＣＨのリソースを選択するために用いられる。【０００８】
（３）本発明の第３の態様は、端末装置に用いられる通信方法であって、ＰＤＣＣＨ（physical downlink control channel）オーダに基づいてランダムアクセス手順を開始し、ＰＲＡＣＨ（physical random access channel）を用いてランダムアクセスプリアンブルを送信し、送信カウンタに基づいて、前記ランダムアクセスプリアンブルの送信のための送信電力をセットし、前記送信カウンタは、前記ＰＤＣＣＨオーダに含まれる第１の情報と第２の情報とに少なくとも基づいて設定され、前記第１の情報は、前記ランダムアクセスプリアンブルを示すために用いられ、前記第２の情報は、前記ＰＲＡＣＨのリソースを選択するために用いられる。【０００９】
（４）本発明の第４の態様は、基地局装置に用いられる通信方法であって、ランダムアクセス手順の開始を指示するＰＤＣＣＨ（physical downlink control channel）オーダを送信し、ＰＲＡＣＨ（physical random access channel）を用いてランダムアクセスプリアンブルを受信し、前記ランダムアクセスプリアンブルの送信のための送信電力は、端末装置によって送信カウンタに基づいてセットされ、前記送信カウンタは、前記ＰＤＣＣＨオーダに含まれる第１の情報と第２の情報とに少なくとも基づいて設定され、前記第１の情報は、前記ランダムアクセスプリアンブルを示すために用いられ、前記第２の情報は、前記ＰＲＡＣＨのリソースを選択するために用いられる。
【発明の効果】
【００１０】
この発明によれば、端末装置は効率的にランダムアクセス手順を実行することができる。また、基地局装置は効率的にランダムアクセス手順を実行することができる。
【図面の簡単な説明】
【００１１】
【図１】本実施形態の無線通信システムの概念図である。
【図２】本実施形態の無線フレームの概略構成を示す図である。
【図３】本実施形態における非コンテンションベースランダムアクセス手順の一例を示す図である。
【図４】本実施形態におけるＲＡＰタイプ１の一例を示す図である。
【図５】本実施形態におけるＲＡＰタイプ２の一例を示す図である。
【図６】本実施形態の端末装置１の構成を示す概略ブロック図である。
【図７】本実施形態の基地局装置３の構成を示す概略ブロック図である。
【発明を実施するための形態】
【００１２】
以下、本発明の実施形態について説明する。
【００１３】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１４】
以下、キャリアアグリゲーションについて説明する。
【００１５】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明の一態様が適用されてもよい。また、設定された複数のサービングセルの一部において、本発明の一態様が適用されてもよい。また、設定された複数のサービングセルのグループのそれぞれにおいて、本発明の一態様が適用されてもよい。また、設定された複数のサービングセルのグループの一部において、本発明の一態様が適用されてもよい。
【００１６】
複数のサービングセルは、少なくとも１つのプライマリセルを含む。複数のサービングセルは、１つ、または、複数のセカンダリセルを含んでもよい。複数のサービングセルは、１つ、または、複数のＬＡＡ（Licensed Assisted Access）セルを含んでもよい。ＬＡＡセルを、ＬＡＡセカンダリセルとも称する。
【００１７】
プライマリセルは、初期コネクション確立（initial connection establishment）手順が行なわれたサービングセル、コネクション再確立（connection re-establishment）手順を開始したサービングセル、または、ハンドオーバ手順においてプライマリセルと指示されたセルである。ＲＲＣ（Radio Resource Control）コネクションが確立された時点、または、後に、セカンダリセル、および／または、ＬＡＡセルが設定されてもよい。
【００１８】
プライマリセルは、ライセンスバンド（licensed band）に含まれてもよい。ＬＡＡセルは、アンライセンスバンド（unlicensed band）に含まれてもよい。セカンダリセルは、ライセンスバンド、および、アンライセンスバンドの何れに含まれてもよい。
【００１９】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２０】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２１】
本実施形態の物理チャネルおよび物理信号について説明する。
【００２２】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
ＰＵＣＣＨは、上りリンク制御情報（Uplink Control Information: UCI）を送信するために用いられる。
【００２３】
ＰＵＳＣＨは、上りリンクデータ（Transport block, Uplink-Shared Channel: UL-SCH）を送信するために用いられる。また、ＰＵＳＣＨは、上りリンクデータと共に上りリンク制御情報を送信するために用いられてもよい。
【００２４】
ＰＲＡＣＨは、ランダムアクセスプリアンブルを送信するために用いられる。
【００２５】
図１において、上りリンクの無線通信では、以下の上りリンク物理シグナルが用いられる。上りリンク物理シグナルは、上位層から出力された情報を送信するために使用されないが、物理層によって使用される。
・上りリンク参照信号（Uplink Reference Signal: UL RS）
本実施形態において、以下の２つのタイプの上りリンク参照信号が用いられる。
・ＤＭＲＳ（Demodulation Reference Signal）
・ＳＲＳ（Sounding Reference Signal / Sounding Reference Symbol）
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。
【００２６】
ＳＲＳは、ＰＵＳＣＨまたはＰＵＣＣＨの送信に関連しない。基地局装置３は、チャネル状態の測定のためにＳＲＳを用いてもよい。
【００２７】
図１において、基地局装置３から端末装置１への下りリンクの無線通信では、以下の下りリンク物理チャネルが用いられる。下りリンク物理チャネルは、上位層から出力された情報を送信するために使用される。
・ＰＤＣＣＨ（Physical Downlink Control Channel）
・ＰＤＳＣＨ（Physical Downlink Shared Channel）
ＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００２８】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。
【００２９】
上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。上りリンクグラントは、ＰＵＳＣＨに対するＴＰＣコマンドを含む。
【００３０】
ＰＤＳＣＨは、下りリンクデータ（transport block, Downlink Shared Channel: DL-SCH）を送信するために用いられる。
【００３１】
ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。
【００３２】
以下、本実施形態の無線フレーム（radio frame）の構成について説明する。
【００３３】
図２は、本実施形態の無線フレームの概略構成を示す図である。図２において、横軸は時間軸である。無線フレームのそれぞれは、１０ｍｓ長である。また、無線フレームのそれぞれは１０のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００３４】
以下、公平な周波数共用技術について説明する。
【００３５】
ＬＡＡセルが対応する周波数は、他の通信システムおよび／または他のＬＴＥオペレータと共用されてもよい。この場合、ＬＡＡセルで用いられる通信方式において、公平な周波数共用技術を用いられてもよい。
【００３６】
公平な周波数共用技術は、ＬＢＴ（Listen-Before-Talk）を含んでもよい。無線送受信装置（基地局装置３または端末装置１）がサービングセル（コンポーネントキャリア、チャネル、媒体、周波数）を用いて物理チャネルおよび物理信号を送信する前に、当該サービングセルにおける干渉電力（干渉信号、受信電力、受信信号、雑音電力、雑音信号）などを測定（検出）する。当該測定（検出）に基づいて、当該サービングセルがアイドル状態、および、ビジー状態の何れであるかを識別（検出、想定、決定）する。無線送受信装置が当該測定（検出）に基づいて当該サービングセルはアイドル状態であると識別した場合、無線送受信装置は当該サービングセルにおいて物理チャネルおよび物理信号を送信することができる。無線送受信装置が当該測定（検出）に基づいて当該サービングセルはビジー状態であると識別した場合、無線送受信装置は当該サービングセルにおいて物理チャネルおよび物理信号を送信しない。尚、下りリンク送信の前に基地局装置３が行うＬＢＴを下りリンクＬＢＴ、上りリンク送信の前に端末装置１が行うＬＢＴを上りリンクＬＢＴと呼称してもよい。
【００３７】
ＬＢＴの手順は、無線送受信装置がサービングセルにおける送信の前にＣＣＡ（Clear Channel Assessment）チェックを適用するメカニズムとして定義される。無線送受信装置は、サービングセルがアイドル状態かビジー状態かどうかを識別するために、当該サービングセルにおいて他の信号の有無を決定するための電力検出または信号検出を行う。本実施形態において、ＣＣＡの定義はＬＢＴの定義と同等であってもよい。なお、本実施形態において、ＣＣＡはキャリアセンスとも呼称される。
【００３８】
ＣＣＡにおいて、他の信号の有無を決定する方法は、様々な方法を用いることができる。例えば、他の信号の有無は、サービングセルにおける干渉電力が、閾値を超えているかどうかに基づいて決定されてもよい。例えば、他の信号の有無は、サービングセルにおける所定の信号またはチャネルの受信電力が、閾値を超えているかどうかに基づいて決定されてもよい。当該閾値は予め規定されてもよい。当該閾値は他の無線送受信装置から受信した情報／信号に基づいて設定されてもよい。当該閾値は送信電力（最大送信電力）などの他の値（パラメータ）に少なくとも基づいて決定（設定）されてもよい。
【００３９】
ＣＣＡは、ＩＣＣＡ（Initial CCA、single sensing、LBT category 2、FBE: Frame-based Equipment）、および、ＥＣＣＡ（Extended CCA、multiple sensing、LBT category 3/4、LBE: Load-based Equipment）を含む。ＣＣＡチェックを行う期間を、ＣＣＡ期間と称する。
【００４０】
ＩＣＣＡの場合、ＣＣＡチェックを一度行った後に物理チャネルおよび物理信号を送信することができる。ＩＣＣＡに関連するＣＣＡチェックを行う期間を、ＩＣＣＡ期間、または、ＩＣＣＡスロット長と称する。例えば、ＩＣＣＡ期間は２５マイクロ秒である。
【００４１】
ＥＣＣＡの場合、所定回数のＣＣＡチェックを行った後に物理チャネルおよび物理信号を送信することができる。ＥＣＣＡに関連するＣＣＡチェックを行う期間を、ＥＣＣＡ期間、または、ＥＣＣＡスロット長と称する。例えば、ＥＣＣＡ期間は９マイクロ秒である。なお、当該所定回数は、バックオフカウンタ（カウンタ、乱数カウンタ、ＥＣＣＡカウンタ）とも称される。また、サービングセルがビジー状態からアイドル状態に変化した後に、ＣＣＡチェックを行う期間を、デファ期間（ｄｅｆｅｒ  ｐｅｒｉｏｄ）、または、ＥＣＣＡ  デファ期間（ＥＣＣＡ  ｄｅｆｅｒ  ｐｅｒｉｏｄ）と称する。例えば、デファ期間は３４マイクロ秒である。
【００４２】
ＬＢＴ（LBT category 4、LBE）の手順の一例を示す。無線送受信装置は、送信を待機しているアイドル状態において、送信が必要な情報（データ、バッファ、ロード、トラヒック）が発生した場合、送信が必要か否かを決定し、初期ＣＣＡに移行する。初期ＣＣＡでは、初期ＣＣＡ期間（Initial CCA period）にＣＣＡチェックを行い、アイドルかビジーかを感知する。初期ＣＣＡを行った結果、アイドルであったと判断した場合、無線送受信装置はアクセス権を獲得し、送信の動作に移行する。そして、そのタイミングで実際に送信を行うか否かを判断し、送信を行うと決定した場合に送信を行う。送信を行った後、他の送信が必要な情報がまだ存在（残留）しているか否かを判別する。他の送信が必要な情報がまだ存在（残留）していない場合には、アイドル状態に戻る。一方で、初期ＣＣＡを行った結果、ビジーであったと判断した場合、または、他の送信が必要な情報がまだ存在（残留）しているか否かの判別の結果、送信後に他の送信が必要な情報がまだ存在（残留）している場合には、ＥＣＣＡに移行する。
【００４３】
ＥＣＣＡでは、初めに、０からｑ−１の範囲からランダムにカウンタ値Ｎが生成される。次に、無線送受信装置は、ＥＣＣＡデファ区間がアイドルかビジーかを感知する。ＥＣＣＡデファ区間においてビジーであると判断した場合は、再度ＥＣＣＡデファ区間でチャネルがアイドルかビジーかを感知する。一方で、ＥＣＣＡデファ区間においてアイドルであると判断した場合は、無線送受信装置は、１つのＥＣＣＡスロット時間でチャネル（媒体）を感知し、当該チャネルがアイドルかビジーかを判断する。当該チャネルがアイドルと判断した場合は、カウンタ値Ｎから一つ減らす。当該チャネルがビジーと判断した場合は、再度ＥＣＣＡデファ区間でチャネルを感知するプロセスに戻る。無線送受信装置は、カウンタ値が０になったか否かを判断する。カウンタ値が０になった場合には、送信を行うプロセスに移行する。一方で、カウンタ値が０ではない場合には、再度一つのＥＣＣＡスロット時間でチャネル（媒体）を感知する。なお、カウンタ値Ｎが生成される際の衝突窓ｑの値はチャネルの状態に応じてＸとＹの間の値となるように更新される。
【００４４】
例えば、衝突窓ｑの値は、無線送受信装置のチャネルの感知によって得られる電力値、および、測定結果などに基づいて決定される。衝突窓ｑの値を決定する際に用いられる最小値Ｘと最大値Ｙの値は、上位層で設定されるパラメータであってもよい。
【００４５】
ＬＢＴの手順において、ＥＣＣＡを行わなくてもよい。具体的には、ＩＣＣＡの結果、チャネルがビジーであったと判断した場合は、ＥＣＣＡのプロセスに遷移せず、無線送受信装置はアイドル状態に戻ってもよい。また、送信を行った後に他の送信が必要な情報がまだ存在している場合においても、ＥＣＣＡのプロセスに遷移せず、無線送受信装置はアイドル状態に戻ってもよい。この様なプロセスを行うＬＢＴは、LBT category 2とも呼称される。
【００４６】
以下、ＰＲＡＣＨ（ランダムアクセスプリアンブル）送信に対する送信電力PPRACHの設定について説明する。
【００４７】
ＰＲＡＣＨ（ランダムアクセスプリアンブル）送信に対する送信電力PPRACHは、少なくとも状態変数PREAMBLE_TRANSMISSION_COUNTERに基づいて設定される。ＰＲＡＣＨ（ランダムアクセスプリアンブル）送信に対する送信電力ＰＰＲＡＣＨは、状態変数PREAMBLE_TRANSMISSION_COUNTERに基づいてランプアップされる。状態変数PREAMBLE_TRANSMISSION_COUNTERを送信カウンタとも称する。送信電力PPRACHは、数式（１）、および、数式（２）によって与えられる。
【数１】
0006763016.tif 000002
【数２】
0006763016.tif 000003
ｍｉｎ｛｝は、入力された複数の値の中から最小値を出力する関数である。PCMAX,c(i)は、サービングセルｃのサブフレームｉに対する最大送信電力値である。当該最大送信電力値を、設定されるＵＥ送信電力とも称する。PLcは、サービングセルｃに対する下りリンクパスロス推定である。下りリンクパスロス推定は、端末装置１によって計算される。
【００４８】
DELTA_PREAMBLEはランダムアクセスプリアンブルフォーマットに基づく電力オフセット値である。preambleInitialReceivedTargetPower、および、powerRampingStepは、上位層（ＲＲＣ層）のパラメータである。基地局装置３は、当該上位層（ＲＲＣ層）のパラメータを示す情報を、端末装置１に送信してもよい。preambleInitialReceivedTargetPowerは、ＰＲＡＣＨ（ランダムアクセスプリアンブル）送信に対する初期送信電力を示す。powerRampingStepは、送信カウンタPREAMBLE_TRANSMISSION_COUNTERに基づいてランプアップされる送信電力のステップを示す。すなわち、送信カウンタは送信電力がランプアップされた回数に対応している。また、送信カウンタを１にセットすることによって、送信電力のランプアップはリセットされる。また、送信カウンタを１つインクリメントすることによって、送信電力のランプアップが１回適用される。
【００４９】
以下、非コンテンションベースランダムアクセス手順の概要について説明する。
【００５０】
図３は、本実施形態における非コンテンションベースランダムアクセス手順の一例を示す図である。非コンテンションベースランダムアクセスプロシージャは、ＰＤＣＣＨオーダによって開始される。Ｓ３００において、基地局装置３は、ＰＤＣＣＨを用いてＰＤＣＣＨオーダ（PDCCH order）を端末装置１に送信する。Ｓ３０２において、端末装置１は、ＰＲＡＣＨを用いてランダムアクセスプリアンブルを送信する。基地局装置３は、Ｓ３０４において、Ｓ３０２において送信されたランダムアクセスプリアンブルに対応するランダムアクセスレスポンスを送信する。端末装置１は、Ｓ３０２において送信されたランダムアクセスプリアンブルに対応するランダムアクセスレスポンスが受信された場合、ランダムアクセスレスポンスの受信成功とみなし、尚且つ、ランダムアクセス手順が成功裏に完了したとみなす。
【００５１】
ランダムアクセスプリアンブルに対応するランダムアクセスレスポンスは、Ｓ３０２において送信されたランダムアクセスプリアンブルを特定するＲＡＰＩＤ（Random Access Preamble IDentifier）を含む。すなわち、端末装置１は、ランダムアクセスレスポンスがＳ３０２において送信されたランダムアクセスプリアンブルに対応するＲＡＰＩＤを含む場合、ランダムアクセスレスポンスの受信成功とみなし、尚且つ、ランダムアクセス手順が成功裏に完了したとみなす。
【００５２】
ＰＤＣＣＨオーダをランダムアクセスメッセージ０とも称する。ランダムアクセスプリアンブルをランダムアクセスメッセージ１とも称する。ランダムアクセスレスポンスをランダムアクセスメッセージ２とも称する。
【００５３】
ＤＣＩフォーマット１Ａは、ＰＤＣＣＨオーダによって開始されるランダムアクセス手順のために用いられる。以下の情報は、ＤＣＩフォーマット１Ａを用いることによって送信されてもよい。すなわち、ＰＤＣＣＨオーダは、以下の情報の一部、または、全部を示してもよい。
・プリアンブルインデックス（Preamble Index） 
・ＰＲＡＣＨマスクインデックス（PRACH Mask Index）
端末装置１は、当該プリアンブルインデックス（Preamble Index）に基づいて、Ｓ３０２において送信されるランダムアクセスプリアンブルのインデックスを選択してもよい。端末装置１は、当該ＰＲＡＣＨマスクインデックスに基づいて、Ｓ３０２におけるランダムアクセスプリアンブルの送信のために用いられるＰＲＡＣＨリソースを選択してもよい。
【００５４】
端末装置１は、ランダムアクセスレスポンスウインドウ３０６の期間、ＲＡ−ＲＮＴＩを含むＰＤＣＣＨをモニタする。当該ＲＡ−ＲＮＴＩは、Ｓ３０２においてランダムアクセスプリアンブルの送信のために用いられたＰＲＡＣＨリソースに基づいて与えられてもよい。当該ＲＡ−ＲＮＴＩを含むＰＤＣＣＨは、ランダムアクセスレスポンスを含むＰＤＳＣＨのスケジューリングのために用いられる下りリンクグラントを含む。
【００５５】
本実施形態における非コンテンションベースランダムアクセス手順は、非コンテンションベースランダムアクセス手順タイプ１、および、非コンテンションベースランダムアクセス手順タイプ２を含む。非コンテンションベースランダムアクセス手順タイプ１をＲＡＰタイプ１と称する。非コンテンションベースランダムアクセス手順タイプ２をＲＡＰタイプ２とも称する。ＲＡＰタイプ１においてＰＲＡＣＨ送信の直前にＬＢＴ／ＣＣＡが行われない。ＲＡＰタイプ２においてＰＲＡＣＨ送信の直前にＬＢＴ／ＣＣＡが行われる。ＲＡＰタイプ１における送信カウンタの管理方法は、ＲＡＰタイプ２における送信カウンタの管理方法とは異なる。
【００５６】
ＲＡＰタイプ１において、ランダムアクセスレスポンスウインドウにおいてランダムアクセスレスポンスが受信されなかった場合、または、ランダムアクセスレスポンスウインドウにおいて受信されたランダムアクセスレスポンスの全てが送信されたランダムアクセスプリアンブルに対応するＲＡＰＩＤを含んでいない場合、ランダムアクセスプリアンブルは自動的に再送信される。
【００５７】
ＲＡＰタイプ２において、ＬＢＴ／ＣＣＡ期間においてビジーと判断することによってランダムアクセスプリアンブルの送信を止めた場合、ランダムアクセスプリアンブルは自動的に再送信される。ＲＡＰタイプ２において、ランダムアクセスレスポンスウインドウにおいてランダムアクセスレスポンスが受信されなかった場合、または、ランダムアクセスレスポンスウインドウにおいて受信されたランダムアクセスレスポンスの全てが送信されたランダムアクセスプリアンブルに対応するＲＡＰＩＤを含んでいない場合、ランダムアクセスプリアンブルは自動的に再送信されない。
【００５８】
プライマリセル、および、セカンダリセルにおいて、ＲＡＰタイプ１をサポートし、尚且つ、ＲＡＰタイプ２をサポートしなくてもよい。ＬＡＡセルにおいて、ＲＡＰタイプ１をサポートせず、尚且つ、ＲＡＰタイプ２をサポートしてもよい。
【００５９】
セカンダリセル、および、ＬＡＡセルのそれぞれにおいて、ＲＡＰタイプ１、および、ＲＡＰタイプ２の両方をサポートしてもよい。基地局装置３は、セカンダリセル、および、ＬＡＡセルのそれぞれにおいて、ＲＡＰタイプ１、および、ＲＡＰタイプ２の何れが適用されるかを、上位層の信号（ＲＲＣパラメータ）を用いて制御してもよい。端末装置１は、基地局装置３から受信した上位層の信号（ＲＲＣパラメータ）に基づいて、セカンダリセル、および、ＬＡＡセルのそれぞれにおいて、ＲＡＰタイプ１、および、ＲＡＰタイプ２の何れが適用されるかを制御してもよい。
【００６０】
以下、ＲＡＰタイプ１の一例について説明する。
【００６１】
図４は、本実施形態におけるＲＡＰタイプ１の一例を示す図である。ＰＤＣＣＨオーダ４００によって、ＲＡＰタイプ１が開始される。ＲＡＰタイプ１が開始される際に、送信カウンタは１にセットされる。
【００６２】
端末装置１は、ＰＤＣＣＨオーダ４００に含まれるＰＲＡＣＨマスクインデックスに少なくとも基づいて、ランダムアクセスプリアンブル４０２の送信のために用いられるＰＲＡＣＨリソースを決定する。ランダムアクセスレスポンスウインドウ４０３においてランダムアクセスレスポンスが受信されなかった場合、または、ランダムアクセスレスポンスウインドウ４０３において受信されたランダムアクセスレスポンスの全てがランダムアクセスプリアンブル４０２に対応するＲＡＰＩＤを含んでいない場合、送信カウンタを１つインクリメントし、尚且つ、ＰＲＡＣＨリソース４０４を選択する。すなわち、ＲＡＰタイプ１において、ランダムアクセスレスポンスウインドウ４０３においてランダムアクセスレスポンスが受信されなかった場合、または、ランダムアクセスレスポンスウインドウ４０３において受信されたランダムアクセスレスポンスの全てがランダムアクセスプリアンブル４０２に対応するＲＡＰＩＤを含んでいない場合、端末装置１はランダムアクセスプリアンブルの送信を自動的に再開する。すなわち、ＲＡＰタイプ１において、１回のＰＤＣＣＨオーダの受信に基づいて、複数回のＰＲＡＣＨ（ランダムアクセスプリアンブル）送信が行われてもよい。
【００６３】
ここで、送信カウンタのインクリメントの後に、送信カウンタの値が所定の値と同じ値である場合、端末装置１はＲＡＰタイプ１が不成功に終わったとみなす、または、ランダムアクセスプロブレムを端末装置１の上位層（ＲＲＣ層）に示す。当該所定の値は、基地局装置３から受信したＲＲＣパラメータに基づいて与えられてもよい。端末装置１の上位層（ＲＲＣ層）は、ランダムアクセスプロブレムが発生したことを、基地局装置３の上位層（ＲＲＣ層）に通知してもよい。
【００６４】
端末装置１は、ＰＤＣＣＨオーダ４００に含まれるＰＲＡＣＨマスクインデックスに少なくとも基づいて、ランダムアクセスプリアンブル４０４の送信のために用いられるＰＲＡＣＨリソースを決定する。ランダムアクセスレスポンスウインドウ４０５においてランダムアクセスプリアンブル４０４に対応するランダムアクセスレスポンス４０６が受信された場合、ランダムアクセスレスポンス４０６の受信成功とみなし、尚且つ、ＲＡＰタイプ１が成功裏に完了したとみなす。
【００６５】
以下、ＲＡＰタイプ２の一例について説明する。
【００６６】
図５は、本実施形態におけるＲＡＰタイプ２の一例を示す図である。ＰＤＣＣＨオーダ５００によって、ＲＡＰタイプ２が開始される。
【００６７】
端末装置１は、ＰＤＣＣＨオーダ５００に含まれるＰＲＡＣＨマスクインデックスに少なくとも基づいて、ＬＢＴ／ＣＣＡのための期間５０１／５０３、および、ランダムアクセスプリアンブルの送信のために用いられるＰＲＡＣＨリソース５０２／５０４を決定する。端末装置１が期間５０１においてビジーと判断した場合、端末装置１はＰＲＡＣＨリソース５０２を用いてランダムアクセスプリアンブルを送信しない、尚且つ、期間５０３においてＬＢＴ／ＣＣＡを行う。端末装置１が期間５０３においてアイドルと判断した場合、端末装置１はＰＲＡＣＨリソース５０４を用いてランダムアクセスプリアンブル５０４を送信する。
【００６８】
ランダムアクセスレスポンスウインドウ５０５においてランダムアクセスプリアンブル５０４に対応するランダムアクセスレスポンス５０６が受信された場合、ランダムアクセスレスポンス５０６の受信成功とみなし、尚且つ、ＲＡＰタイプ２が成功裏に完了したとみなす。
【００６９】
ランダムアクセスレスポンスウインドウ５０５においてランダムアクセスレスポンスが受信されなかった場合、または、ランダムアクセスレスポンスウインドウ５０５において受信されたランダムアクセスレスポンスの全てがランダムアクセスプリアンブル５０４に対応するＲＡＰＩＤを含んでいない場合、送信カウンタの値に関わらず、端末装置１はＲＡＰタイプ２が不成功に終わったとみなす、または、ランダムアクセスプロブレムを端末装置１の上位層（ＲＲＣ層）に示す。すなわち、ＲＡＰタイプ２において、ランダムアクセスレスポンスウインドウ５０５においてランダムアクセスレスポンスが受信されなかった場合、または、ランダムアクセスレスポンスウインドウ５０５において受信されたランダムアクセスレスポンスの全てがランダムアクセスプリアンブル５０４に対応するＲＡＰＩＤを含んでいない場合、端末装置１はランダムアクセスプリアンブルの送信を自動的に再開しない。すなわち、ＲＡＰタイプ２において、１回のＰＤＣＣＨオーダの受信に基づいて、１回のＰＲＡＣＨ（ランダムアクセスプリアンブル）送信が行われる。
【００７０】
ＰＤＣＣＨオーダ５００に含まれるＰＲＡＣＨマスクインデックスに対応するＰＲＡＣＨリソースの全てにおいてランダムアクセスプリアンブルが送信されなかった場合、端末装置１はＲＡＰタイプ２が不成功に終わったとみなしてもよい、または、ランダムアクセスプロブレムを端末装置１の上位層（ＲＲＣ層）に示してもよい。
【００７１】
ＰＤＣＣＨオーダ５００に含まれるＰＲＡＣＨマスクインデックスに対応するＰＲＡＣＨリソースの全てにおいてランダムアクセスプリアンブルが送信されなかった場合、且つ、ランダムアクセスレスポンスウインドウ５０５においてランダムアクセスレスポンスが受信されなかった場合、端末装置１はＲＡＰタイプ２が不成功に終わったとみなしてもよい、または、ランダムアクセスプロブレムを端末装置１の上位層（ＲＲＣ層）に示してもよい。
【００７２】
ＲＡＰタイプ２において、基地局装置３は、ＰＤＣＣＨオーダ（ＤＣＩフォーマット１Ａ）を用いて、端末装置１における送信カウンタを制御してもよい。すなわち、基地局装置３は、ＰＤＣＣＨオーダ（ＤＣＩフォーマット１Ａ）を用いて、ＰＲＡＣＨ（ランダムアクセスプリアンブル）送信に対する送信電力PPRACHを制御してもよい。
【００７３】
ＲＡＰタイプ２において、端末装置１は、ＰＤＣＣＨオーダ（ＤＣＩフォーマット１Ａ）に基づいて、送信カウンタを制御してもよい。すなわち、端末装置１は、ＰＤＣＣＨオーダ（ＤＣＩフォーマット１Ａ）に基づいて、ＰＲＡＣＨ（ランダムアクセスプリアンブル）送信に対する送信電力PPRACHを制御してもよい。
【００７４】
例えば、ＰＤＣＣＨオーダに含まれるプリアンブルインデックスが所定の値以外の値を示す場合、ＲＡＰタイプ２が開始される際に、送信カウンタは１にセットされてもよい。例えば、ＰＤＣＣＨオーダに含まれるプリアンブルインデックスが所定の値を示す場合、ＲＡＰタイプ２が開始される際に、送信カウンタは１つインクリメントされてもよい。ここで、ＰＤＣＣＨオーダＸの受信の直前に受信したＰＤＣＣＨオーダＹが対応するＰＲＡＣＨリソースの全てにおいてランダムアクセスプリアンブルが送信されていない場合、当該ＰＤＣＣＨオーダＸに含まれるプリアンブルインデックスが所定の値を示していたとしても、送信カウンタは１つインクリメントされなくてもよい。この場合、送信カウンタの値は維持される。ここで、当該所定の値は‘００００００’であってもよい。ＰＤＣＣＨオーダＸに含まれるプリアンブルインデックスが所定の値を示す場合、端末装置１は、ＰＤＣＣＨオーダＸの受信の直前に受信されたＰＤＣＣＨオーダＹに含まれるプリアンブルインデックスに基づいて、ランダムアクセスプリアンブルを選択してもよい。
【００７５】
すなわち、ＰＤＣＣＨオーダＸの受信の直前に受信したＰＤＣＣＨオーダＹが対応するＰＲＡＣＨリソースにおいてランダムアクセスプリアンブルが送信されている場合、尚且つ、ＰＤＣＣＨオーダＸに含まれるプリアンブルインデックスが所定の値を示す場合、送信カウンタは１つインクリメントされてもよい。
【００７６】
すなわち、ＰＤＣＣＨオーダＸの受信の直前に受信したＰＤＣＣＨオーダＹが対応するＰＲＡＣＨリソースの全てにおいてランダムアクセスプリアンブルが送信されていない場合、尚且つ、ＰＤＣＣＨオーダＸに含まれるプリアンブルインデックスが所定の値を示す場合、送信カウンタの値は維持されてもよい。
【００７７】
例えば、ＰＤＣＣＨオーダに含まれる送信電力制御コマンドが‘０’を示す場合、ＲＡＰタイプ２が開始される際に、送信カウンタは１にセットされてもよい。例えば、ＰＤＣＣＨオーダに含まれる送信電力制御コマンドが‘１’を示す場合、ＲＡＰタイプ２が開始される際に、送信カウンタは１つインクリメントされてもよい。ここで、ＰＤＣＣＨオーダＸの受信の直前に受信されたＰＤＣＣＨオーダＹが対応するＰＲＡＣＨリソースの全てにおいてランダムアクセスプリアンブルが送信されていない場合、当該ＰＤＣＣＨオーダＸに含まれる送信電力制御コマンドが‘１’を示していたとしても、送信カウンタは１つインクリメントされなくてもよい。この場合、送信カウンタの値は維持される。
【００７８】
すなわち、ＰＤＣＣＨオーダＸの受信の直前に受信したＰＤＣＣＨオーダＹが対応するＰＲＡＣＨリソースにおいてランダムアクセスプリアンブルが送信されている場合、尚且つ、ＰＤＣＣＨオーダＸに含まれる送信電力制御コマンドが‘１’を示す場合、送信カウンタは１つインクリメントされてもよい。
【００７９】
すなわち、ＰＤＣＣＨオーダＸの受信の直前に受信したＰＤＣＣＨオーダＹが対応するＰＲＡＣＨリソースの全てにおいてランダムアクセスプリアンブルが送信されていない場合、尚且つ、ＰＤＣＣＨオーダＸに含まれる送信電力制御コマンドが‘１’を示す場合、送信カウンタの値は維持されてもよい。
【００８０】
すなわち、端末装置１は、（ｉ）ＰＤＣＣＨオーダＸに含まれる情報、および、（ｉｉ）ＰＤＣＣＨオーダＸの受信の直前に受信したＰＤＣＣＨオーダＹが対応するＰＲＡＣＨリソースの何れかにおいてランダムアクセスプリアンブルが送信されているかどうかに基づいて、以下の処理（１）から処理（３）の何れかを実行してもよい。
【００８１】
（処理１）送信カウンタを１にセットする。
【００８２】
（処理２）送信カウンタを１つインクリメントする。
【００８３】
（処理３）送信カウンタの値を維持する。
【００８４】
以下、本実施形態における装置の構成について説明する。
【００８５】
図６は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、媒体アクセス制御層処理部１５、無線リソース制御層処理部１６、および、送信電力制御部１７を含んで構成される。無線送受信部１０を送信部、受信部、または、物理層処理部とも称する。
【００８６】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００８７】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ランダムアクセス手順の制御を行う。
【００８８】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【００８９】
上位層処理部１４が備える送信電力制御部１７は、ＰＲＡＣＨ（ランダムアクセスプリアンブル）送信に対する送信電力の設定を行う。
【００９０】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００９１】
ＲＦ部１２は、アンテナ部１１を介して受信した信号を、直交復調によりベースバンド信号に変換し（ダウンコンバート: down covert）、不要な周波数成分を除去する。ＲＦ部１２は、処理をしたアナログ信号をベースバンド部に出力する。
【００９２】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【００９３】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【００９４】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００９５】
図７は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【００９６】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００９７】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、ランダムアクセス手順の制御を行う。
【００９８】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【００９９】
無線送受信部３０の機能は、無線送受信部１０と同様であるため説明を省略する。
【０１００】
端末装置１が備える符号１０から符号１６が付された部のそれぞれは、回路として構成されてもよい。基地局装置３が備える符号３０から符号３６が付された部のそれぞれは、回路として構成されてもよい。
【０１０１】
以下、本実施形態における、端末装置１および基地局装置３の種々の態様について説明する。
【０１０２】
（１）本実施形態の第１の態様は、端末装置１であって、ＰＤＣＣＨオーダに基づいて非コンテンションベースランダムアクセス手順を開始する媒体アクセス制御層処理部１５と、前記ＰＤＣＣＨオーダに基づいて、ＰＲＡＣＨを用いたランダムアクセスプリアンブルの送信のための送信電力を設定する送信電力制御部１７と、前記ＰＲＡＣＨを用いて前記ランダムアクセスプリアンブルを送信する送信部１０と、を備える。
【０１０３】
（２）本実施形態の第１の態様において、前記送信電力制御部１７は、（ｉ）前記ＰＤＣＣＨオーダに含まれる情報、および、（ｉｉ）前記ＰＤＣＣＨオーダの直前に受信された第２のＰＤＣＣＨオーダに含まれる情報に対応する複数のＰＲＡＣＨリソースの何れかにおいて第２のランダムアクセスプリアンブルが送信されたかどうかに基づいて、前記送信電力を設定する。
【０１０４】
（３）本実施形態の第１の態様において、前記送信電力制御部１７は、送信カウンタに基づいて、前記送信電力を設定し、前記ＰＤＣＣＨオーダに含まれる情報が第１の値を示す場合、前記非コンテンションベースランダムアクセス手順が開始される際に、前記送信カウンタは１にセットされる。
【０１０５】
（４）本実施形態の第１の態様において、前記ＰＤＣＣＨオーダに含まれる情報が第２の値を示す場合、前記非コンテンションベースランダムアクセス手順が開始される際に、前記送信カウンタは１つインクリメントされる。
【０１０６】
（５）本実施形態の第１の態様において、前記ＰＤＣＣＨオーダに含まれる情報が第２の値を示し、尚且つ、前記ＰＤＣＣＨオーダの直前に受信された第２のＰＤＣＣＨオーダに含まれる情報に対応する複数のＰＲＡＣＨリソースの何れかにおいて第２のランダムアクセスプリアンブルが送信された場合、前記非コンテンションベースランダムアクセス手順が開始される際に、前記送信カウンタは１つインクリメントされる。
【０１０７】
（６）本実施形態の第１の態様において、前記ＰＤＣＣＨオーダに含まれる情報が第２の値を示し、尚且つ、前記ＰＤＣＣＨオーダの直前に受信された第２のＰＤＣＣＨオーダに含まれる情報に対応する複数のＰＲＡＣＨリソースの全てにおいてランダムアクセスプリアンブルが送信されていない場合、前記非コンテンションベースランダムアクセス手順が開始される際に、前記送信カウンタは維持される。
【０１０８】
（７）本実施形態の第２の態様は、基地局装置３であって、非コンテンションベースランダムアクセス手順を開始するために用いられるＰＤＣＣＨオーダを送信する送信部１０と、ＰＲＡＣＨを用いてランダムアクセスプリアンブルを受信する受信部１０と、を備え、前記ＰＲＡＣＨを用いた前記ランダムアクセスプリアンブルの送信のための送信電力は、前記ＰＤＣＣＨオーダを用いて制御される。
【０１０９】
（８）本実施形態の第２の態様において、（ｉ）前記ＰＤＣＣＨオーダに含まれる情報、および、（ｉｉ）前記ＰＤＣＣＨオーダの直前に送信された第２のＰＤＣＣＨオーダに含まれる情報に対応する複数のＰＲＡＣＨリソースの何れかにおいて第２のランダムアクセスプリアンブルが送信されたかどうかに基づいて、前記送信電力は設定される。
【０１１０】
（９）本実施形態の第２の態様において、前記送信電力は、送信カウンタに基づいて設定され、前記ＰＤＣＣＨオーダに含まれる情報が第１の値を示す場合、前記非コンテンションベースランダムアクセス手順が開始される際に、前記送信カウンタは１にセットされる。
【０１１１】
（１０）本実施形態の第２の態様において、前記ＰＤＣＣＨオーダに含まれる情報が第２の値を示す場合、前記非コンテンションベースランダムアクセス手順が開始される際に、前記送信カウンタは１つインクリメントされる。
【０１１２】
（１１）本実施形態の第２の態様において、前記ＰＤＣＣＨオーダに含まれる情報が第２の値を示し、尚且つ、前記ＰＤＣＣＨオーダの直前に送信された第２のＰＤＣＣＨオーダに含まれる情報に対応する複数のＰＲＡＣＨリソースの何れかにおいて第２のランダムアクセスプリアンブルが送信された場合、前記非コンテンションベースランダムアクセス手順が開始される際に、前記送信カウンタは１つインクリメントされる。
【０１１３】
（１２）本実施形態の第２の態様において、前記ＰＤＣＣＨオーダに含まれる情報が第２の値を示し、尚且つ、前記ＰＤＣＣＨオーダの直前に受信された第２のＰＤＣＣＨオーダに含まれる情報に対応する複数のＰＲＡＣＨリソースの全てにおいてランダムアクセスプリアンブルが送信されていない場合、前記非コンテンションベースランダムアクセス手順が開始される際に、前記送信カウンタは維持される。
【０１１４】
（１３）本実施形態の第３の態様は、プライマリセル、および、セカンダリセルを用いて、基地局装置３と通信する端末装置１であって、ランダムアクセスレスポンスウインドウにおいてプライマリセルに対するランダムアクセスレスポンスが受信されなかった場合、送信カウンタを１つインクリメントし、セカンダリセルに対するＰＤＣＣＨオーダに含まれる情報に基づいて、前記送信カウンタを１つインクリメントする媒体アクセス制御層処理部１５と、前記送信カウンタに基づいて、前記プライマリセルにおけるＰＲＡＣＨ、または、前記セカンダリセルにおけるＰＲＡＣＨを用いたランダムアクセスプリアンブルの送信に対する送信電力を設定する送信電力制御部１７と、を備える。
【０１１５】
（１４）本実施形態の第３の態様において、前記ＰＤＣＣＨオーダによって前記プライマリセルにおける非コンテンションベースランダムアクセス手順が開始される場合、前記ＰＤＣＣＨオーダに含まれる前記情報に関わらず、前記送信カウンタは１にセットされ、前記ＰＤＣＣＨオーダによって前記セカンダリセルにおける非コンテンションベースランダムアクセス手順が開始される場合、前記ＰＤＣＣＨオーダに含まれる前記情報に基づいて、前記送信カウンタは１にセットされる。
【０１１６】
（１５）本実施形態の第４の態様は、端末装置１であって、上位層の信号を受信する受信部１０と、前記ＰＤＣＣＨオーダによってサービングセルにおける非コンテンションベースランダムアクセス手順が開始される場合に、（ｉ）前記ＰＤＣＣＨオーダに含まれる前記情報に関わらず前記送信カウンタは１をセットするか、（ｉｉ）前記ＰＤＣＣＨオーダに含まれる前記情報に基づいて前記送信カウンタを１にセットするかを、前記上位層の信号に基づいて制御する媒体アクセス制御層処理部１５と、を備える。
【０１１７】
（１６）本実施形態の第５の態様は、基地局装置３であって、ＰＤＣＣＨオーダを送信する送信部１０を備え、前記送信部１０は、前記ＰＤＣＣＨオーダによってサービングセルにおける非コンテンションベースランダムアクセス手順が開始される場合に、（ｉ）前記ＰＤＣＣＨオーダに含まれる前記情報に関わらず前記送信カウンタが１にセットされるか、（ｉｉ）前記ＰＤＣＣＨオーダに含まれる前記情報に基づいて前記送信カウンタが１にセットされるかを制御するための上位層の信号を送信する。
【０１１８】
これにより、端末装置は効率的にランダムアクセス手順を実行することができる。また、基地局装置は効率的にランダムアクセス手順を実行することができる。
【０１１９】
本発明の一態様に関わる基地局装置３、および端末装置１で動作するプログラムは、本発明の一態様に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１２０】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１２１】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１２２】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１２３】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１２４】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１２５】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１２６】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１２７】
以上、この発明の実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の一態様の技術的範囲に含まれる。また、上記各実施形態に記載された要素であり、同様の効果を奏する要素同士を置換した構成も含まれる。
【０１２８】
（関連出願の相互参照）
本出願は、2016年4月20日に出願された日本国特許出願：特願2016-084268に対して優先権の利益を主張するものであり、それを参照することにより、その内容の全てが本書に含まれる。
【符号の説明】
【０１２９】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
１７  送信電力制御部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
0006763016.tif 000004
【図２】
0006763016.tif 000005
【図３】
0006763016.tif 000006
【図４】
0006763016.tif 000007
【図５】
0006763016.tif 000008
【図６】
0006763016.tif 000009
【図７】
0006763016.tif 000010